(57)【特許請求の範囲】
【請求項１】
遊技機を制御するための情報を記憶しており、記憶された情報に基づいて遊技機を制御する制御手段を備え、該制御手段が組み込まれた遊技機の異常を検出する遊技機の異常検出システムにおいて、
演算機能及び通信機能を有し、有価情報を記録している記録媒体と、該記録媒体を受け付けて有価情報の精算を行い、前記遊技機にて使用される遊技媒体の貸出を行う遊技媒体貸出装置とを備え、
前記制御手段は、通信を行う手段と、自己を特定する特定情報を記憶する手段とを備え、
前記記録媒体は、前記遊技媒体貸出装置に受付けられた場合に前記制御手段との通信を行う手段と、前記制御手段から前記特定情報を読み込む手段と、前記記録媒体の受け付けが可能な制御手段を特定する特定情報を記録しており、読み込んだ特定情報及び記録してある特定情報の照合を行う手段と、該照合の結果、読み込んだ特定情報が記録してある特定情報と異なる場合には、前記遊技機の異常を示す異常情報を前記遊技媒体貸出装置へ送信する手段とを備え、
前記遊技媒体貸出装置は、前記制御手段及び前記記録媒体の間の通信を中継する手段と、前記記録媒体から前記異常情報を受信した場合に、遊技媒体の貸出を禁止する手段とを備えることを特徴とする遊技機の異常検出システム。
【請求項２】
前記制御手段は、前記遊技機の制御に関する異常を検出する手段と、検出した異常に関する情報を記憶する手段とを備え、
前記記録媒体は、前記制御手段からの前記情報の読み込みを試みる手段と、前記情報を読み込んだ場合には、遊技機の異常を示す異常情報を前記遊技媒体貸出装置へ送信する手段とを備えることを特徴とする請求項１に記載の遊技機の異常検出システム。
【請求項３】
前記遊技媒体貸出装置に接続しており、遊技機の異常を外部へ報知する異常報知装置を更に備え、
前記遊技媒体貸出装置は、前記記録媒体から遊技機の異常を示す異常情報を受信した場合に、前記異常報知装置へ前記異常情報を送信する手段を備え、
前記異常報知装置は、前記遊技媒体貸出装置から前記異常情報を受信した場合に、外部へ遊技機の異常を報知する手段を備えることを特徴とする請求項１又は２に記載の遊技機の異常検出システム。
【請求項４】
演算機能及び通信機能を有し、有価情報を記録しており、遊技機にて使用される遊技媒体の貸出を行う遊技媒体貸出装置に受け付けられて有価情報の精算が行われる記録媒体であって、
それの受け付けが可能な遊技機の内部の装置を特定する特定情報を記録しており、前記遊技媒体貸出装置に受付けられた場合に遊技機の内部の装置との通信を行う手段と、前記装置を特定する特定情報を前記装置から読み込む手段と、読み込んだ特定情報及び記録してある特定情報の照合を行う手段と、該照合の結果、読み込んだ特定情報が記録してある特定情報とは異なる場合に、遊技機の異常を示す異常情報を前記遊技媒体貸出装置へ送信する手段とを備えることを特徴とする記録媒体。
【請求項５】
遊技機の内部の装置から遊技機の制御の異常に関する情報の読み込みを試みる手段と、前記情報を読み込んだ場合には、遊技機の異常を示す異常情報を前記遊技媒体貸出装置へ送信する手段とを備えることを特徴とする請求項４に記載の記録媒体。
【発明の詳細な説明】
【０００１】
【発明の属する技術分野】
本発明は、パチンコ機およびパチスロ機などの遊技機を制御するプログラムを記憶し、該プログラムに基づいて遊技機を制御する制御手段の異常、又は該制御手段を備えた遊技機の制御の異常を検出する遊技機の異常検出システム及び該異常検出システムに用いられる、演算機能と通信機能とを有し、有価情報を記録している記録媒体に関する。
【０００２】
【従来の技術】
パチンコ店などの遊技店には、パチンコ機およびパチスロ機などの遊技機が複数台設置されており、遊技者は遊技機で使用するパチンコ玉およびメダル等の遊技媒体を借り入れ、該遊技媒体を元手に手持ちの遊技媒体を増やすことを目的とする遊技を行う。
【０００３】
各遊技機には遊技を制御する制御手段である制御基板が組み込まれ、制御基板は遊技を制御するプログラムを記憶している記憶手段、いわゆる遊技ＲＯＭを搭載しており、遊技機で行われる遊技の制御は遊技ＲＯＭに記憶されたプログラムを制御基板が備えるＣＰＵにより実行することで行われる。遊技ＲＯＭに記憶されたプログラムには、法規制に基づき、遊技媒体の増やし易さの確率が設定されている。
【０００４】
このような遊技機においては、遊技店に納入された後に、不正にプログラムが書き換えられて例えば遊技媒体が増やし易いように設定された不正な遊技ＲＯＭと正規の遊技ＲＯＭとが差し替えられるという不正行為が行われる場合がある。
【０００５】
また、不正に遊技媒体を増やすことを目的とした不正行為として、制御基板から遊技機内部の各種機器へ制御信号を伝える接続線（以下、ハーネスと言う）の差し替え、ハーネスにぶら下げて当たりを操作する電子部品の取り付け、並びに遊技ＲＯＭ及び制御基板などの各種機器を誤作動させる電磁波の利用、及びそれによる遠隔操作など、様々な不正行為が行われている。
【０００６】
以上のごとき不正行為を摘発するために、不正な遊技ＲＯＭの存在および各種の不正行為を検出する不正検出手段を制御基板に組み込み、不正検出手段により遊技機の異常が検出された場合に異常を記憶する機能または遊技機の停止を行う機能を制御基板に持たせておき、定期的に遊技機の異常検査を行う異常検出システムが用いられている。
【０００７】
【発明が解決しようとする課題】
従来の異常検出システムによる遊技機の異常検査は、定期的に行われているため、遊技機の異常を検出した時には既に不正行為により遊技店が損害を被った後である場合が多い。例えば、遊技機の異常検査が行われた後に、遊技者が遊技媒体を増やし易いように不正行為を行って遊技を行い、遊技媒体を増やし易いようにしたまま前記遊技機を放置した場合、前記遊技機を使用する他の遊技者により不正な遊技がさらに行われ、次の異常検査が行われるまでに不正行為による損害が累積する。以上の如く、従来の遊技機の異常検出システムにおいては、不正行為による遊技店の損害を未然に防止できないという問題がある。
【０００８】
また、従来の異常検出システムでは、制御基板にて不正行為の検出を行うため、制御基板に不正が行われた上で不正行為が行われた場合、例えば、不正な遊技ＲＯＭを備え、該不正な遊技ＲＯＭを検出しない不正な制御基板と正規の制御手段とが差し替えられた場合、又は不正検出手段が機能しない不正な制御基板と正規の制御基板とが差し替えられた上で、ハーネスの差し替え及びハーネスへの電子部品の取り付け等の不正行為が行われた場合には、遊技機の異常を検出できないという問題がある。
【００１０】
本発明の目的とするところは、遊技機の異常の検査を行う際に、遊技機の制御手段の正当性を判定することにより、制御手段に不正行為が行われている場合においても、遊技機の異常を検出できる遊技機の異常検出システム及び該異常検出システムに用いられる、演算機能と通信機能とを有し、有価情報を記録している記録媒体を提供することにある。
【００１１】
【課題を解決するための手段】
第１発明に係る遊技機の異常検出システムは、遊技機を制御するための情報を記憶しており、記憶された情報に基づいて遊技機を制御する制御手段を備え、該制御手段が組み込まれた遊技機の異常を検出する遊技機の異常検出システムにおいて、演算機能及び通信機能を有し、有価情報を記録している記録媒体と、該記録媒体を受け付けて有価情報の精算を行い、前記遊技機にて使用される遊技媒体の貸出を行う遊技媒体貸出装置とを備え、前記制御手段は、通信を行う手段と、自己を特定する特定情報を記憶する手段とを備え、前記記録媒体は、前記遊技媒体貸出装置に受付けられた場合に前記制御手段との通信を行う手段と、前記制御手段から前記特定情報を読み込む手段と、前記記録媒体の受け付けが可能な制御手段を特定する特定情報を記録しており、読み込んだ特定情報及び記録してある特定情報の照合を行う手段と、該照合の結果、読み込んだ特定情報が記録してある特定情報と異なる場合には、前記遊技機の異常を示す異常情報を前記遊技媒体貸出装置へ送信する手段とを備え、前記遊技媒体貸出装置は、前記制御手段及び前記記録媒体の間の通信を中継する手段と、前記記録媒体から前記異常情報を受信した場合に、遊技媒体の貸出を禁止する手段とを備えることを特徴とする。
【００１３】
第２発明に係る遊技機の異常検出システムは、前記制御手段は、前記遊技機の制御に関する異常を検出する手段と、検出した異常に関する情報を記憶する手段とを備え、前記記録媒体は、前記制御手段からの前記情報の読み込みを試みる手段と、前記情報を読み込んだ場合には、遊技機の異常を示す異常情報を前記遊技媒体貸出装置へ送信する手段とを備えることを特徴とする。
【００１４】
第３発明に係る遊技機の異常検出システムは、前記遊技媒体貸出装置に接続しており、遊技機の異常を外部へ報知する異常報知装置を更に備え、前記遊技媒体貸出装置は、前記記録媒体から遊技機の異常を示す異常情報を受信した場合に、前記異常報知装置へ前記異常情報を送信する手段を備え、前記異常報知装置は、前記遊技媒体貸出装置から前記異常情報を受信した場合に、外部へ遊技機の異常を報知する手段を備えることを特徴とする。
【００１５】
第４発明に係る記録媒体は、演算機能及び通信機能を有し、有価情報を記録しており、遊技機にて使用される遊技媒体の貸出を行う遊技媒体貸出装置に受け付けられて有価情報の精算が行われる記録媒体であって、それの受け付けが可能な遊技機の内部の装置を特定する特定情報を記録しており、前記遊技媒体貸出装置に受付けられた場合に遊技機の内部の装置との通信を行う手段と、前記装置を特定する特定情報を前記装置から読み込む手段と、読み込んだ特定情報及び記録してある特定情報の照合を行う手段と、該照合の結果、読み込んだ特定情報が記録してある特定情報とは異なる場合に、遊技機の異常を示す異常情報を前記遊技媒体貸出装置へ送信する手段とを備えることを特徴とする。
【００１６】
第５発明に係る記録媒体は、第４発明において、遊技機の内部の装置から遊技機の制御の異常に関する情報の読み込みを試みる手段と、前記情報を読み込んだ場合には、遊技機の異常を示す異常情報を前記遊技媒体貸出装置へ送信する手段とを備えることを特徴とする。
【００１９】
第１、第３及び第４発明においては、演算機能および通信機能を有し、遊技媒体を貸し出すための有価情報が記録されている、ＩＣカード等の記録媒体を用い、該記録媒体が遊技媒体の貸出のために遊技媒体貸出装置に受け付けられた場合に、前記記録媒体は、遊技機を制御する制御手段から該制御手段を特定する特定情報を読み込み、読み込んだ特定情報の照合を行って前記制御手段の正当性を判定する遊技機の異常の検査を行い、遊技機の異常を検出した場合には遊技媒体の貸出を禁止して遊技の開始を不可能にすることにより、遊技機を制御する制御手段を差し替える不正行為を検出することが可能となり、該不正行為により遊技店が損害を被ることを未然に防止することができる。また、ＩＣカード等の演算機能および通信機能を有する記録媒体は、従来の磁気カードと比べてセキュリティが高く、情報の不正な読み出し又は偽造が困難であるため、不正行為の検出効果をより向上させることができる。
【００２０】
第２及び第５発明においては、前記記録媒体は、前記制御手段から遊技機の制御の異常に関する情報の読み込みを試み、前記情報を読み込んだ場合には、遊技媒体の貸出を禁止して遊技の開始を不可能にすることにより、遊技機を不正に制御して当たりを操作する不正行為により遊技店が損害を被ることを未然に防止することができる。
【００２１】
【発明の実施の形態】
以下、本発明をその実施の形態を示す図面に基づき具体的に説明する。
図１は、本発明に係る遊技機の異常検出システムの構成を示すブロック図である。図中３０は遊技機であり、遊技機３０には、遊技機３０を制御する制御手段である制御基板２０が組み込まれている。遊技機３０には、遊技機３０で用いられる遊技媒体の貸出を行う、いわゆる台間機としての遊技媒体貸出装置５０が付設されており、本発明に係る記録媒体として用いられるＩＣカード４０に対して情報の読み書きを行うリーダ・ライタ５３を備え、ＩＣカード４０が記録している有価情報の精算を行う構成となっている。遊技店１００には、遊技機３０及び遊技媒体貸出装置５０が複数設置されており、夫々の遊技機３０及び遊技媒体貸出装置５０を管理し、本発明に係る異常報知装置として用いられる内部管理装置６０がさらに設置され、本発明に係る遊技機の異常検出システムを構成している。遊技店１００の外部には遊技店管理機関８００が設けられており、複数の遊技店１００の夫々に設置されている内部管理装置６０を管理する外部管理装置８０が設置されている。
【００２２】
制御基板２０には、遊技機３０を制御する遊技プログラムが記憶された遊技ＲＯＭ１０が搭載されている。制御基板２０は、ＣＰＵ２１とＲＡＭ２２とを備えており、遊技ＲＯＭ１０から遊技プログラムを読み出してＲＡＭ２２に記憶し、ＣＰＵ２１にて実行することで遊技機３０を制御する。
【００２３】
遊技ＲＯＭ１０は、遊技ＲＯＭ１０を特定する特定情報である遊技ＲＯＭ−ＩＤを記憶しており、制御基板２０は、制御基板２０を特定する特定情報である制御基板ＩＤを記憶している制御基板ＩＤ記憶部２３と、遊技ＲＯＭ−ＩＤ及び制御基板ＩＤを記憶するＩＤ記憶部２４とを備えており、ＣＰＵ２１は、遊技ＲＯＭ１０から遊技ＲＯＭ−ＩＤを読み出し、制御基板ＩＤ記憶部２３から制御基板ＩＤを読み出し、読み出した遊技ＲＯＭ−ＩＤおよび制御基板ＩＤをＩＤ記憶部２４へ記憶する。
【００２４】
また、制御基板２０は、従来技術に係る、遊技機３０を不正に制御する信号を検出する不正検出部２５と、検出した不正な信号に関する不正情報を記憶する不正記憶部２６とを備えており、不正検出部２５は、遊技機３０の当たりを操作することを目的とした、ハーネスの差し替え、ハーネスへの電子部品の取り付け、又は電磁波などによる遊技機３０を不正に制御する信号を監視し、不正な信号を検出した場合には、不正検出部２５が検出した不正な信号の種類などを示す不正情報を不正記憶部２６に記憶する。
【００２５】
さらに制御基板２０は、遊技媒体貸出装置５０を介してＩＣカード４０と通信を行う通信部２７を備え、ＩＤ記憶部２４及び不正記憶部２６に記憶された情報をＩＣカード４０へ送信することができる構成となっている。また、通信部２７はＩＣカード４０との通信に用いる暗号鍵を記憶する暗号鍵記憶手段２７ａを備えている。
【００２６】
遊技媒体貸出装置５０は、遊技機３０に付設されているいわゆる台間機であり、ＣＰＵ５１と、ＲＯＭ５４と、ＲＡＭ５５とを備え、ＲＯＭ５４に記憶された、遊技媒体の貸出などの遊技媒体貸出装置５０に必要な処理を行うプログラムを読み取り、ＲＡＭ５５に記憶してＣＰＵ５１にて実行する。
【００２７】
遊技媒体貸出装置５０は、有価情報を記録しているＩＣカード４０の挿入を受け付ける挿入部５２と、ＩＣカード４０へ電力を供給する電力供給部５９と、ＩＣカードへの情報の入出力を行うリーダ・ライタ５３と、貸し出す遊技媒体を排出する遊技媒体排出部５７とを備え、挿入部５２にて遊技者からＩＣカード４０の挿入を受け付け、電力供給部５９は接触式の端子または非接触式のアンテナを介してＩＣカード４０へＩＣカード４０が稼動するための電力を供給し、リーダ・ライタ５３は接触式の端子または非接触式のアンテナを介してＩＣカード４０へ情報の入出力を行い、ＩＣカード４０が記録している有価情報の精算を行い、遊技媒体排出部５７が遊技媒体を排出する。
【００２８】
また、遊技媒体貸出装置５０は、制御基板２０との通信を行う制御基板通信部５６を備え、ＩＣカード４０と制御基板２０との間の通信を中継し、さらに、内部管理装置６０との通信を行う内部通信部５８を備えている。
【００２９】
なお、遊技媒体貸出装置５０は、遊技媒体排出部５７を備えて遊技媒体を自ら排出する構成としたが、この構成に限るものではなく、遊技機３０が自ら遊技媒体を排出する構成とし、遊技媒体貸出装置５０は遊技機３０へ遊技媒体の排出を指示する構成としてもよい。また、遊技媒体貸出装置５０は遊技機３０に付設されたいわゆる台間機であるとしたが、これに限るものではなく、遊技機３０に内蔵された形態、又は遊技機３０から離れて設置されている形態であってもよい。
【００３０】
図２は、ＩＣカード４０の構成を示すブロック図である。ＩＣカード４０は、ＣＰＵ４１と、ＲＯＭ４２と、ＲＡＭ４３と、接触式の端子または非接触式のアンテナを介して遊技媒体貸出装置５０の電力供給部５９より電力を受ける電源部４６とを備え、電源部４６から電力を供給され、ＲＯＭ４２に記録されたＩＣカード４０に必要な処理を行うプログラムを読み込み、ＲＡＭ４３に記憶してＣＰＵ４１にて実行する。なお、電源部４６は内蔵電池であってもよい。
【００３１】
ＩＣカード４０は、接触式の端子または非接触式のアンテナを介して遊技媒体貸出装置５０と情報の入出力を行う入出力部４７を備え、遊技媒体貸出装置５０を介して制御基板２０と通信を行う構成となっており、入出力部４７は、制御基板２０との通信に用いる暗号鍵を記録する暗号鍵記録部４７ａを備えている。また、ＩＣカード４０は、有価情報を記録している有価情報記録部４４を備え、遊技媒体貸出装置５０からの指示入力に従って有価情報を読み出して遊技媒体貸出装置５０へ出力し、遊技媒体貸出装置５０からの指示入力に従って有価情報を書き換える。さらに、ＩＣカード４０は、ＩＣカード４０を受け付ける事が可能な制御基板および遊技ＲＯＭを特定する制御基板ＩＤ及び遊技ＲＯＭ−ＩＤのリストである店別ＩＤリストを記録しているＩＤ記録部４５を備えている。
【００３２】
内部管理装置６０は、本発明における異常報知装置として用いられる。内部管理装置６０は、ＣＰＵ６１と、ＲＡＭ６７と、遊技媒体貸出装置５０との通信を行う内部通信部６２と、遊技店外の外部管理装置８０との通信を行う外部通信部６３と、ＣＲＴディスプレイ等の表示部６４と、プリンタ等の印刷部６５と、各種プログラム及びデータ等の情報を記憶する記憶部６６とを備え、遊技機の異常を示す異常情報を遊技媒体貸出装置５０から受信したときには、受信した異常情報の内容を表示部６４に表示して遊技店１００の店員へ異常を報知し、前記異常情報を外部通信部６３を介して外部管理装置８０へ送信し、印刷部６５にて前記異常情報の内容を印刷し、前記異常情報を記憶部６６へ記憶する。
【００３３】
外部管理装置８０は、ＣＰＵ８１と、ＲＡＭ８２と、各種データを記憶する記憶部８３と、内部管理装置６０との通信を行う通信部８４とを備え、内部管理装置６０から遊技機の異常を示す異常情報を受信したときには、受信した異常情報を記憶部８３に記憶する。
【００３４】
遊技ＲＯＭ１０及び制御基板２０を特定する遊技ＲＯＭ−ＩＤ及び制御基板ＩＤは、以下の如く管理されている。
遊技ＲＯＭ１０が部品製造機関にて製造される際に、遊技ＲＯＭ−ＩＤが遊技ＲＯＭ１０に書き込まれ、同様に制御基板２０が製造される際には、制御基板ＩＤ記憶部２３に制御基板ＩＤが書き込まれる。制御基板２０が組み込まれる遊技機３０及び遊技機３０が設置される遊技店１００にも、夫々を特定する遊技機ＩＤ及び遊技店ＩＤが付与されている。遊技ＲＯＭ１０を搭載した制御基板２０が遊技機３０に組み込まれ、遊技機３０が遊技店１００に設置される際に、遊技ＲＯＭ−ＩＤ、制御基板ＩＤ、遊技機ＩＤ及び遊技店ＩＤの夫々を対応づけて記録したＩＤリストが作成され、遊技店管理機関８００にて管理される。例えば遊技ＲＯＭ−ＩＤを指定した場合、該遊技ＲＯＭ−ＩＤにて特定される遊技ＲＯＭ１０が搭載されている制御基板２０、該制御基板２０が組み込まれている遊技機３０、及び該遊技機３０が設置されている遊技店１００が前記ＩＤリストを参照することで特定できる。
【００３５】
ＩＣカード４０を発行するカード発行機関においては、前記ＩＤリストに基づき、遊技店１００に設置されている複数の遊技機３０に組み込まれている夫々の制御基板２０を特定する夫々の制御基板ＩＤと、夫々の制御基板２０が搭載している夫々の遊技ＲＯＭ１０を特定する夫々の遊技ＲＯＭ−ＩＤとを記録した店別ＩＤリストを作成し、作成した店別ＩＤリストをＩＣカード４０のＩＤ記録部４５に記録して、遊技店１００にて使用可能なＩＣカード４０を発行する。店別ＩＤリストを参照することにより、ＩＣカード４０を受け付け可能な遊技ＲＯＭ１０及び制御基板２０を特定することができる。
【００３６】
次に、本発明の遊技機の異常検出システムの処理をフローチャートを用いて説明する。図３は、遊技者がＩＣカード４０を遊技媒体貸出装置５０へ挿入してから遊技を開始するまでの間に遊技機の異常検出システムが行う全体の処理を説明するフローチャートである。まず、遊技媒体貸出装置５０が遊技者からＩＣカード４０を受け付け（Ｓ１）、遊技機の異常検出システムは、制御基板２０の正当性を調べる制御基板照合の処理を行い（Ｓ２）、制御基板２０が正当であった場合には、不正記憶部２６が記憶している遊技機３０の不正な制御の情報を調べる不正情報検査の処理を行い（Ｓ３）、遊技機３０の不正な制御が検出されなかった場合には、遊技ＲＯＭ１０の正当性を調べる遊技ＲＯＭ照合の処理を行う（Ｓ４）。遊技ＲＯＭ１０が正当であった場合には、遊技媒体貸出装置５０は、ＩＣカード４０の有価情報記録部４４に記録されている有価情報の読み出し及び書き込みを行って有価情報の精算を行い（Ｓ５）、精算した分の遊技媒体を遊技媒体排出部５７より貸し出し、（Ｓ６）、貸し出された遊技媒体を元手とする遊技が開始される（Ｓ７）。
【００３７】
図４はステップＳ２の制御基板照合の処理の内容を説明するフローチャートであり、図５は遊技機の異常を検出した場合に行う異常処理の内容を説明するフローチャートである。遊技媒体貸出装置５０を介したＩＣカード４０と制御基板２０との間の通信は、双方の暗号鍵を用いて暗号化および復号を実施しながら行われる。ＩＣカード４０は、制御基板２０に対する制御基板ＩＤの要求を遊技媒体貸出装置５０へ送信し（Ｓ２１）、遊技媒体貸出装置５０は通信を中継して制御基板ＩＤの要求を制御基板２０へ送信する（Ｓ２２）。制御基板２０は、制御基板ＩＤ記憶部２３から制御基板ＩＤを読み出してＩＤ記憶部２４に記憶しており、制御基板ＩＤの要求を受信し（Ｓ２３）、ＩＤ記憶部２４に記憶した制御基板ＩＤを遊技媒体貸出装置５０へ送信する（Ｓ２４）。遊技媒体貸出装置５０は、通信を中継して制御基板ＩＤをＩＣカード４０へ送信する（Ｓ２５）。ＩＣカード４０は、制御基板ＩＤを受信し（Ｓ２６）、受信した制御基板ＩＤとＩＤ記録部４５に記録している店別ＩＤリストとを照合し（Ｓ２７）、受信した制御基板ＩＤが店別ＩＤリストに記録されている制御基板ＩＤの一つに一致した場合は（Ｓ２８：Ｙ）、制御基板２０は正当であると判定してステップＳ２の制御基板照合の処理を終了して次のステップＳ３へ処理をすすめる。
【００３８】
受信した制御基板ＩＤが店別ＩＤリストに記録されている全ての制御基板ＩＤと異なっている場合は（Ｓ２８：Ｎ）、ＩＣカード４０は、遊技機３０の異常を示す異常情報を遊技媒体貸出装置５０へ送信し（Ｓ０１）、遊技媒体貸出装置５０は異常情報を受信し（Ｓ０２）、受信した異常情報を本発明の異常報知装置である内部管理装置６０へ送信し（Ｓ０３）、遊技媒体の貸出を禁止して遊技の開始を不可能にさせる（Ｓ０４）。異常報知装置である内部管理装置６０は、遊技媒体貸出装置５０から異常情報を受信し（Ｓ０５）、受信した異常情報の内容を表示部６４に表示して遊技店の店員へ異常を報知し（Ｓ０６）、異常情報を外部管理装置８０へ送信し、印刷部６５にて異常情報の内容を印刷し、異常情報を記憶部６６へ記憶する。
【００３９】
なお、遊技媒体貸出装置５０を介したＩＣカード４０と制御基板２０との間の通信で暗号化および復号が正常に行われない場合にも、制御基板２０が正当でないと判定してステップＳ０１以降の異常処理を行う。
【００４０】
図６は、ステップＳ３の不正情報検査の処理の内容を説明するフローチャートである。前述した如く、制御基板２０の不正検出部２５は、ハーネスの差し替え、ハーネスへの電子部品の取り付け、又は電磁波などによる遊技機３０を不正に制御する信号が遊技機３０に加えられないかを監視しており、不正な信号を検出した場合には、検出した不正な信号の種類などを示す不正情報を不正記憶部２６が記憶する。ＩＣカード４０は、不正記憶部２６が記憶している不正情報の要求を遊技媒体貸出装置５０へ送信し（Ｓ３１）、遊技媒体貸出装置５０は通信を中継して不正情報の要求を制御基板２０へ送信する（Ｓ３２）。制御基板２０は、不正情報の要求を受信し（Ｓ３３）、不正記憶部２６が不正情報を記憶している場合は記憶している不正情報を送信し、不正記憶部２６が不正情報を記憶していない場合は異常無しを示す情報を送信する（Ｓ３４）。遊技媒体貸出装置５０は、通信を中継して情報をＩＣカード４０へ送信し（Ｓ３５）、ＩＣカード４０は、制御基板２０からの情報を受信し（Ｓ３６）、不正情報を受信した場合は（Ｓ３７：Ｙ）、遊技機の異常検出システムは、ステップＳ０１以降の異常処理を行う。異常無しを示す情報を受信した場合は（Ｓ３７：Ｎ）、遊技機３０は正常であると判定してステップＳ３の不正情報検査の処理を終了して次のステップＳ４へ処理を進める。
【００４１】
図７は、ステップＳ４の遊技ＲＯＭ照合の処理の内容を説明するフローチャートである。ＩＣカード４０は、制御基板２０に対する遊技ＲＯＭ−ＩＤの要求を遊技媒体貸出装置５０へ送信し（Ｓ４１）、遊技媒体貸出装置５０は、通信を中継して遊技ＲＯＭ−ＩＤの要求を制御基板２０へ送信する（Ｓ４２）。制御基板２０は、遊技ＲＯＭ１０から遊技ＲＯＭ−ＩＤを読み出してＩＤ記憶部２４に記憶しており、遊技ＲＯＭ−ＩＤの要求を受信し（Ｓ４３）、ＩＤ記憶部２４に記憶した遊技ＲＯＭ−ＩＤを遊技媒体貸出装置５０へ送信する（Ｓ４４）。遊技媒体貸出装置５０は、通信を中継して遊技ＲＯＭ−ＩＤをＩＣカード４０へ送信する（Ｓ４５）。ＩＣカード４０は、遊技ＲＯＭ−ＩＤを受信し（Ｓ４６）、受信した遊技ＲＯＭ−ＩＤとＩＤ記録部４５に記録している店別ＩＤリストとを照合し（Ｓ４７）、受信した遊技ＲＯＭ−ＩＤが店別ＩＤリストに記録されている遊技ＲＯＭ−ＩＤの一つに一致した場合は（Ｓ４８：Ｙ）、遊技ＲＯＭ１０は正当であると判断してステップＳ４の遊技ＲＯＭ照合の処理を終了する。受信した遊技ＲＯＭ−ＩＤが店別ＩＤリストに記録されている全ての遊技ＲＯＭ−ＩＤと異なっている場合は（Ｓ４８：Ｎ）、遊技機の異常検出システムは、ステップＳ０１以降の異常処理を行う。
【００４２】
なお、店別ＩＤリストにて、制御基板２０の制御基板ＩＤと該制御基板２０に搭載されている遊技ＲＯＭ１０の遊技ＲＯＭ−ＩＤとの組合せを記録しておき、ＩＣカード４０は、ステップＳ４７において、制御基板２０から受信した制御基板ＩＤ及び遊技ＲＯＭ−ＩＤの組み合わせと、店別ＩＤリストに記録されている組み合わせとの照合を行って、遊技ＲＯＭ１０の正当性を判定する方法を用いても良い。
【００４３】
以上詳述した如く、本発明に係る遊技機の異常検出システムは、遊技者が遊技媒体を借り入れるための有価情報が記録された記録媒体としてＩＣカード４０を用い、遊技が開始される前に遊技媒体の借り入れのためにＩＣカード４０が遊技媒体貸出装置５０に受け付けられた場合に、ＩＣカード４０が遊技媒体貸出装置５０を介して制御基板２０と通信を行い、遊技機３０の異常の検査を行い、遊技機３０の異常を検出した場合には、遊技媒体貸出装置５０が遊技媒体の貸出を禁止し、遊技の開始を不可能にさせる。遊技が開始される前に毎回遊技機の異常を検査するため、不正行為により遊技店が被る損害が累積することを未然に防止する。
【００４４】
また、ＩＣカード４０は、制御基板２０を特定する制御基板ＩＤ及び遊技ＲＯＭ１０を特定する遊技ＲＯＭ−ＩＤを読み込み、制御基板２０及び遊技ＲＯＭ１０の正当性を判定するため、制御基板２０又は遊技ＲＯＭ１０を不正な制御基板または遊技ＲＯＭに差し替えて不正な遊技を行う不正行為、特に、不正検出部２５を取り外すなどして異常を検出できない制御基板に制御基板２０を差し替えて不正な遊技を行う不正行為を検出することができる。また、遊技機の異常検出の主体となるＩＣカードは、従来の磁気カードと比べてセキュリティが高く、情報の不正な読み出し又は偽造が困難であるため、不正行為の検出効果をより向上させる。
【００４５】
本実施の形態においては、異常報知装置として内部管理装置６０を用いる形態を示したが、この形態に限るものではなく、ランプ又はブザーなど異常を報知できる他の装置を用いる形態としても良い。
【００４６】
また、本実施の形態においては、ＩＣカード４０が能動的に遊技機３０の異常を検出する形態を示したが、遊技媒体貸出装置５０又は内部管理装置６０を異常検出装置として用い、ＩＣカード４０は受動的に情報を読み書きされる形態としても良い。この場合、遊技媒体貸出装置５０又は内部管理装置６０を用いた異常検出装置は、遊技媒体貸出装置５０がＩＣカード４０を受け付けた時点で、制御基板２０及びＩＣカード４０から制御基板ＩＤ等の情報を読み込み、遊技機３０の異常の検査を行い、異常が検出されたときには遊技媒体の貸出を禁止する。この形態を用いた場合においても、遊技が開始される前に遊技機３０の異常の検査が行われるため、不正行為による遊技店の損害を未然に防止することができる。また、遊技機３０の外部から異常の検査を行うため、制御基板２０を不正な制御基板に差し替える不正行為を検出することができる。
【００４７】
また、本発明に係る記録媒体としてＩＣカード４０を用いる形態を示したが、この形態に限るものではなく、演算機能および通信機能を有する記録媒体であれば、どのような形態であってもよい。例えば、クレジット又はプリペイド情報を決済する機能を有する、携帯電話などの携帯情報端末であってもよい。この場合においても、本発明に係る記録媒体は、遊技媒体貸出装置５０を介して又は直接に制御基板２０と通信を行い、遊技機３０の異常の検査を行う。
【００４８】
【発明の効果】
第１、第３及び第４発明においては、演算機能および通信機能を有し、遊技媒体を貸し出すための有価情報が記録されている、ＩＣカード等の記録媒体を用い、該記録媒体が遊技媒体の貸出のために遊技媒体貸出装置に受け付けられた場合に、前記記録媒体は、遊技機を制御する制御手段から該制御手段を特定する特定情報を読み込み、読み込んだ特定情報の照合を行って前記制御手段の正当性を判定する遊技機の異常の検査を行い、遊技機の異常を検出した場合には遊技媒体の貸出を禁止して遊技の開始を不可能にすることにより、遊技機を制御する制御手段を差し替える不正行為を検出することが可能となり、該不正行為により遊技店が損害を被ることを未然に防止することができる。また、ＩＣカード等の演算機能および通信機能を有する記録媒体は、従来の磁気カードと比べてセキュリティが高く、情報の不正な読み出し又は偽造が困難であるため、不正行為の検出効果をより向上させることができる。
【００５０】
第２及び第５発明においては、前記記録媒体は、前記制御手段から遊技機の制御の異常に関する情報の読み込みを試み、前記情報を読み込んだ場合には、遊技媒体の貸出を禁止して遊技の開始を不可能にすることにより、遊技機を不正に制御して当たりを操作する不正行為により遊技店が損害を被ることを未然に防止することができる。
【図面の簡単な説明】
【図１】本発明に係る遊技機の異常検出システムの構成を示すブロック図である。
【図２】ＩＣカードの構成を示すブロック図である。
【図３】遊技者がＩＣカードを遊技媒体貸出装置へ挿入してから遊技を開始するまでの間に遊技機の異常検出システムが行う全体の処理を説明するフローチャートである。
【図４】ステップＳ２の制御基板照合の処理の内容を説明するフローチャートである。
【図５】遊技機の異常を検出した場合に行う異常処理の内容を説明するフローチャートである。
【図６】ステップＳ３の不正情報検査の処理の内容を説明するフローチャートである。
【図７】ステップＳ４の遊技ＲＯＭ照合の処理の内容を説明するフローチャートである。
【符号の説明】
１０  遊技ＲＯＭ
２０  制御基板（制御手段）
３０  遊技機
４０  ＩＣカード（記録媒体）
５０  遊技媒体貸出装置
６０  内部管理装置（異常報知装置）
【図１】
0003772091.tif 000002
【図２】
0003772091.tif 000003
【図３】
0003772091.tif 000004
【図４】
0003772091.tif 000005
【図５】
0003772091.tif 000006
【図６】
0003772091.tif 000007
【図７】
0003772091.tif 000008